(57)【要約】【課題】吹出し口からの吹出し気流に阻害されることなく、汚染空気を効率的に吸い込み捕集し得るように改善された室内循環式空気浄化装置を提供する。【解決手段】キャビネットＢ上の加熱調理器Ｃの後側に位置して配置される汚染空気Ｇの吸込み口１を有する吸込み壁部２と、吸込み口１に連通する吸込み壁部２内の循環風路３と連通してキャビネットＢの内部に設置される送風機４および空気浄化部５と、循環風路３に連通してキャビネットＢの背面板ｂに配置され、空気浄化部５により清浄化された空気ｇを室内に戻す吹出し口６とを備えている。【選択図】図１
2012007873.tif 000002
【特許請求の範囲】
【請求項１】
キャビネット上の加熱調理器の奥側に設けられた壁部と、
前記壁部の前記加熱調理器側に設けられた、前記加熱調理器での調理により汚染した空気の吸込み口と、
前記吸込み口から吸込んだ空気を排出する吹出し口と、
前記吸込み口と前記吹出し口を連通する風路と、
前記風路上にあり、前記吸込み口から前記吹出し口へ空気の流れを発生させる送風機と、
前記風路上にあり、前記吸込み口から吸込んだ汚染した空気を清浄化する空気浄化部と、を備え、
前記吹出し口は、前記キャビネット又は前記壁部の背面又は側面に備えられることを特徴とする室内循環式空気浄化装置。
【請求項２】
前記吹出し口は、前記吹出し口から吹き出される空気の向きは、略水平方向又は略水平方向より下向きの方向となる構成であることを特徴とする請求項１に記載の室内循環式空気浄化装置。
【請求項３】
キャビネット上の加熱調理器の後側に位置して配置される汚染空気の吸込み口を有する吸込み壁部と、
前記吸込み口に連通する前記吸込み壁部内の循環風路と連通して前記キャビネットの内部に設置される送風機および空気浄化部と、
前記循環風路に連通して前記キャビネットの背面または側面に配置され、前記空気浄化部により清浄化された空気を室内に戻す吹出し口と、を備えていることを特徴とする室内循環式空気浄化装置。
【発明の詳細な説明】
【技術分野】
【０００１】
本発明は、電磁誘導加熱調理器（ＩＨクッキングヒータ）による調理中に発生する汚染空気を吸い込み捕獲し、清浄化したのちに室内に戻す室内循環式空気浄化装置に関する。
【背景技術】
【０００２】
近年では、調理中に二酸化炭素や一酸化炭素などの有害物質を含む燃焼ガスが発生するガスコンロに代わり、燃焼ガスを発生させずに調理することができる電気コンロ、或いは電磁誘導加熱調理器（ＩＨクッキングヒータ）などが普及し、オール電化キッチンを採用する家庭が多くなってきている。
電磁誘導加熱調理器を使用しての調理では、発生する汚染空気中に二酸化炭素や一酸化炭素などの有害物質が含まれていないために、汚染空気を清浄化することができるのであれば、汚染空気を屋外へと排気せずに室内に循環（還流）させることができる。
そして、汚染空気を清浄化させて室内に戻す室内循環方式を採用することで、例えば、室内空気圧の変化、室内環境の汚染、そして室内空調エネルギーのロスなどを引き起こすなどの問題を解消することができる。
【０００３】
そこで、調理中に調理鍋や電気加熱器具などからの汚染空気を吸込み捕集するとともに、汚染空気中に含まれている汚染物質、例えば、油脂分（油煙）、臭気（調理臭）などを汚染空気から分離除去して清浄化したクリーンな空気として室内に戻す空気浄化機能を備えた室内循環式空気浄化装置（厨房用循環型空気処理装置）が提案されている（例えば、特許文献１などを参照）。
この特許文献１に記載されている室内循環式空気浄化装置は、電気加熱器具の奥側に設けられ、調理中に発生した汚染空気を吸い込むための吸込み口と、この吸込み口に連通してキャビネット内に設置され、吸込み口から汚染空気を吸い込む送風機と、吸込み口に配置される油煙除去装置、キャビネット内に設置される湯煙(水分)除去措置および脱臭装置のうち、少なくとも１または複数の処理装置とを備えた構成となっている。
これにより、吸込み口から吸込み捕集された汚染空気は、処理装置を経由して吹出し口からキャビネットの外に排出される。所謂汚染空気を清浄化したのちに室内に戻す下引き形態の室内循環方式となっている。
【先行技術文献】
【特許文献】
【０００４】
【特許文献１】特開２００５−２８３０６０号公報
【発明の概要】
【発明が解決しようとする課題】
【０００５】
しかしながら、従来技術では、清浄化された汚染空気を室内に戻す吹出し口が、電気加熱器具の奥側で上向きに開口されていることから、吹出し口からの吹出し気流によって電気加熱器具周辺の気流が乱され、それにより、調理鍋などから発生する汚染空気の吸込み口による吸い込み捕集が妨害されるおそれがあるなど、捕集効率の低下を招く要因になっていた。
また、吹出し口が上向きに開口されていることで、埃塵が入り込むおそれがあることも問題視されていた。
【０００６】
そこで、本発明は、前記課題を解消するために創案されたものであり、吹出し口からの吹出し気流に阻害されることなく、汚染空気を効率的に吸い込み捕集し得るように改善された室内循環式空気浄化装置を提供することにある。
【課題を解決するための手段】
【０００７】
前記課題を解決するために、キャビネット上の加熱調理器の奥側に設けられた壁部と、前記壁部の前記加熱調理器側に設けられた、前記加熱調理器での調理により汚染した空気の吸込み口と、前記吸込み口から吸込んだ空気を排出する吹出し口と、前記吸込み口と前記吹出し口を連通する風路と、前記風路上にあり、前記吸込み口から前記吹出し口へ空気の流れを発生させる送風機と、前記風路上にあり、前記吸込み口から吸込んだ汚染した空気を清浄化する空気浄化部と、を備え、前記吹出し口は、前記キャビネット又は前記壁部の背面又は側面に備えられることを特徴とする室内循環式空気浄化装置が提供される。
【０００８】
このような構成によれば、空気浄化部により清浄化された空気は、キャビネット又は壁部の背面または側面に設けられている吹出し口から室内に吹出し戻される。これにより、キャビネット上の加熱調理器周辺の調理鍋などから発生する汚染空気などの気流が乱されることはない。
【０００９】
また、前記吹出し口は、前記吹出し口から吹き出される空気の向きは、略水平方向又は略水平方向より下向きの方向となる構成であることを特徴としてもよい。
このような構成によれば、汚染空気などの気流を乱すことをより確実に防止でき、さらに、キャビネットを挟んでダイニング側に人がいる場合であっても、人に吹出した空気が当たらず、不快感を与えることもない。
【００１０】
前記課題を解決するために、本発明では、キャビネット上の加熱調理器の後側に位置して配置される汚染空気の吸込み口を有する吸込み壁部と、前記吸込み口に連通する前記吸込み壁部内の循環風路と連通して前記キャビネットの内部に設置される送風機および空気浄化部と、前記循環風路に連通して前記キャビネットの背面または側面に配置され、前記空気浄化部により清浄化された前記汚染空気を室内に戻す吹出し口とを備えていることを特徴とする。
【００１１】
このような構成によれば、空気浄化部により清浄化された空気は、キャビネットの背面または側面に設けられている吹出し口から室内に吹出し戻される。これにより、キャビネット上の加熱調理器周辺の調理鍋などから発生する汚染空気などの気流が乱されることはない。
【発明の効果】
【００１２】
本発明の室内循環式空気浄化装置によれば、吹出し口から室内に吹出し戻される清浄化されたクリーンな空気の気流によって、キャビネット上の加熱調理器周辺の調理鍋などから発生する汚染空気などの気流が乱されることがない。
これにより、調理中に発生する汚染空気は、その気流が乱されることなく、加熱調理器の後側に位置させて配置した吸込み壁部の吸込み口から速やかに吸込み捕集される。つまり、汚染空気の吸込み捕集率を各段に向上させることができる。
また、吹出し口がキャビネットの後方または側方に位置して開口されているため、調理時に飛び散ってしまったゴミなどが入り込んでしまうおそれをなくすことができる。
【図面の簡単な説明】
【００１３】
【図１】第一実施形態に係る室内循環式空気浄化装置が適用された電磁誘導加熱調理器のキャビネットの一例を示す縦断側面図である。
【図２】同キャビネットの背面図である。
【図３】同キャビネットを背面斜め上方から見たときの斜視図である。
【図４】吹出し口を背面板の下辺部に沿わせて配置した形態の例を示す同キャビネットの背面図である。
【図５】同吹出し口を背面板の上下両辺辺部にそれぞれ沿わせて配置した形態の例を示す同キャビネットの背面図である。
【図６】同吹出し口を背面板の両側辺部にそれぞれ沿わせて配置した形態の例を示す同キャビネットの背面図である。
【図７】同吹出し口を背面板の上辺部から両側辺部に沿わせて一連に配置した形態の例を示す同キャビネットの背面図である。
【図８】第二実施形態に係る室内循環式空気浄化装置が適用された電磁誘導加熱調理器のキャビネットを示す縦断側面図である。
【図９】同キャビネットの背面図である。
【発明を実施するための形態】
【００１４】
以下、本発明の実施形態について、適宜図面を参照しながら詳細に説明する。
＜第一実施形態＞
図１は、本実施形態に係る室内循環式空気浄化装置が適用された電磁誘導加熱調理器のキャビネットの一例を示す縦断側面図であり、図２は、同キャビネットの背面図であり、図３は、同キャビネットの斜視図である。
【００１５】
≪室内循環式空気浄化装置の構成≫
室内循環式空気浄化装置（以後、単に「浄化装置」と称する）Ａは、図１に示すように、キャビネットＢ上の電磁誘導加熱調理器(以後、単に「加熱調理器」と称する)Ｃの後側に位置して配置される汚染空気Ｇの吸込み口１を有する吸込み壁部２と、吸込み口１に連通する吸込み壁部２内の循環風路３と連通してキャビネットＢの内部に設置される送風機４および空気浄化部５と、循環風路３に連通してキャビネットＢの後記する背面板ｂに配置され、空気浄化部５により清浄化された空気ｇを室内に吹出し戻す吹出し口６とを備えている下引き形態に構成されている。
【００１６】
キャビネットＢは、ビルトインタイプの加熱調理器Ｃが落とし込み設置される本体部Ｂ１と、この本体部Ｂ１の背後（後側）に位置して取り付けられる背面ボックス部Ｂ２とからなり、この背面ボックス部Ｂ２に浄化装置Ａが組み込み装備されるようにしている。
そして、キャビネットは、図１に示すように、本体部Ｂ１の上面と背面ボックス部Ｂ２の上面にわたる大きさを有し、加熱調理器Ｃが落とし込み設置される一枚のカウンタＢ３を備えて、本体部Ｂ１と背面ボックス部Ｂ２との一体感を持たせるようにしている（図３参照）。
【００１７】
≪吸込み壁部の構成≫
吸込み壁部２は、背面ボックス部Ｂ２の背面板ｂとの間に循環風路３の下流側風路３−１を形成する隙間をおいて、背面ボックスＢ２の内面に沿わせて内張りされるように設けられる金属製内壁板７に連設させて形成されるものであり、内部に循環風路３を有し、かつ、キャビネットＢの横幅（加熱調理器Ｃのプレート幅）に相当する立上り幅と所定の立上り高さにて形成されている。
そして、この吸込み壁部２は、図１に示すように、加熱調理器Ｃの後側に位置する背面ボックス部Ｂ２の前側より略垂直に立上げ設置されるように形成され、前面壁の上辺部側（上部側）に沿わせて吸込み口１を備えている。吸込み口１は、図２に示すように、吸込み壁部２の横幅に相当する幅にて設けられている。
【００１８】
≪循環風路の構成≫
循環風路３は、吸込み壁部２の内部から背面ボックス部Ｂ２の内部に至り、かつ、金属製内壁板７により仕切られた背面ボックス部Ｂ２の背面板ｂの内側に沿う下流側風路３−１に至るように形成されている。
これにより、送風機４の吸引力によって吸込み口１から吸込み捕集され、送風機４内を通過して流入されてきた汚染空気Ｇ中の油脂分（油煙）、臭気（調理臭）などを空気浄化部５によって汚染空気Ｇから分離除去して清浄化したクリーンな空気として吹出し口６から室内（キッチン）に戻すための風路となる。
そして、図１に示すように、この循環風路３の背面ボックス部Ｂ２内における吸込み壁部２が連通する上流側に位置して送風機４が設置され、この送風機４の下流側に位置して空気浄化部５が設置されるようになっている。
【００１９】
≪空気浄化部の構成≫
空気浄化部５は、図１に示すように、送風機４の下流側に位置して、該送風機４のファンケーシング４ａに接続連通される浄化ケーシング５ａを備えている。
そして、この空気浄化部５は、浄化ケーシング５ａ内のファンケーシング４ａに接続される上流側から吐出し口８を有する下流側に順次に配置されるグリスフィルタ５ｂ、煙除去フィルタ５ｃ、脱臭フィルタ５ｄなどを備えて構成されている。
【００２０】
なお、図示を省略しているが、空気浄化部５に汚染空気Ｇ中の水分（蒸気、湿気）を除去するための除湿フィルタを必要に応じて組み込み配置することができる。例えば、脱臭フィルタ５ｄの下流側に除湿フィルタを配置することが好ましい。
【００２１】
≪吹出し口の構成≫
吹出し口６は、図１〜図３に示すように、循環風路３に連通されて背面ボックス部Ｂ２の背面板ｂにおける上辺部に沿って横長孔形状に開口配置されて、送風機４の吸引力により空気浄化部５を通り、油脂分、臭気などが分離除去されて清浄化されたクリーンな空気ｇが吹き出すようになっている。
なお、図示を省略しているが、吹出し口６にクリーンな空気ｇの吹出し方向を任意可変することができるルーバーなどを必要に応じて設けることができる。
【００２２】
［第一実施形態の変形例の説明］
図４〜図７は、吹出し口の配置形態を変えた変形例をそれぞれ示すキャビネットの背面図である。
この変形例では、吹出し口６の配置を変えた以外の構成要素は、前記した実施形態と基本的に同じことから同じ構成要素に同じ符合を付することで重複説明は省略する。
すなわち、図４に示す変形例では、吹出し口６を背面板ｂの下辺部に沿わせて配置している。図５に示す変形例では、吹出し口６を背面板ｂの上下両辺部にそれぞれ沿わせて配置している。図６に示す変形例では、背面板ｂの両側辺部にそれぞれ沿わせて配置している。図７に示す変形例では、背面板ｂの上辺部から両側辺部に沿わせて一連に配置している。
【００２３】
なお、図示を省略しているが、吹出し口６を背面板ｂの上下辺部と両側辺部の周囲四辺に沿わせて配置することができる。また、背面板ｂの中央部分などに適宜の開口形状にて大きく開口することができる。
【００２４】
このように、吹出し口６をキャビネットＢの背面板ｂの開口する構成を採用することで、吹出し口６の配置を任意に設定することができる。
また、図５〜図７に示すように、吹出し口６の開口本数を増やす。そして、吹出し口６を大きく開口するなどによって、吹出し口６から吹き出すクリーンな空気ｇの吹出し流速を緩やかに抑えることが可能である。
これにより、キャビネットＢ上の加熱調理器Ｃ周辺の調理鍋Ｄなどから発生する汚染空気Ｇなどの気流を乱すことがなく、しかも、調理者などの室内にいる人体への強風などによる不快感を与えることなどがなくなる。
【００２５】
なお、本発明の実施形態の具体的な構成は、前記した実施形態に限られるものではなく、請求の範囲に記載の本発明の要旨を逸脱しない範囲で設計変更などがあっても本発明に含まれるものである。
例えば、吹出し口６を、キャビネットＢの一側面または両側面に備えることができる。この場合の吹出し口６の配置としては、図２、図４〜図７に示すような背面での各配置形態と同様な配置形態を側面においてもすることができる。つまり、キャビネットＢの側面における上辺部や下辺部、そして両側辺部などに沿わせて吹出し口６を配置することができる。
また、吹出し口６を、キャビネットＢの背面(背面板ｂ)と側面の双方に備えることができる。
【００２６】
また、吸込み壁部２に対する吸込み口１の開口形態としては、前記実施形態詳述の上辺部(上部)側に沿わせた形態のみならず、下辺部（下部）側または両側辺部（両側部）側または全面などに備えることができる。
【００２７】
＜第二実施形態＞
図８は、本実施形態に係る室内循環式空気浄化装置が適用された電磁誘導加熱調理器のキャビネットの一例を示す縦断側面図であり、図９は、同キャビネットの背面図である。なお、第一実施形態と同じ構成については、同じ符号を付すことにより説明を省略する。
【００２８】
室内循環式空気浄化装置（以後、「浄化装置」と称する）ＡＡは、電磁誘導加熱調理器(以後、「加熱調理器」と称する)Ｃを備えるキャビネットＢに隣接して、厨房等の床Ｆの上に設置される。加熱調理器Ｃに載せられた調理鍋Ｄを用いて調理をする者は、床Ｆの上、特にＦ１辺りの床Ｆの上に立って、調理を行う。従って、浄化装置ＡＡは、調理者とはキャビネットＢを挟んで反対側、即ち調理者から見てキャビネットＢの奥側に設置される。
【００２９】
また、浄化装置ＡＡは、キャビネットＢの上面（カウンタＢ３）より上に立ち上がり、背面ボックス部Ｂ２Ａの上に設けられた壁部２’Ａを備える。壁部２’Ａは、吸込み口１Ａと吸込み口１Ａとは反対側に吹出し口６Ａを備え、吸込み口１ＡをキャビネットＢ側へ、吹出し口６ＡをキャビネットＢとは反対側へ向けるように設置される。その結果、壁部２’Ａは、吸込み口１Ａを加熱調理器Ｃ側に向けるように設置され、調理者から見れば、壁部２’Ａは、キャビネットＢ上の加熱調理器Ｃの奥に、吸込み口１Ａが加熱調理器Ｃに向けられるように設けられる。
【００３０】
加熱調理器Ｃに向けられるように吸込み口１Ａを設けることにより、吸込み口１Ａは、加熱調理器Ｃで調理することにより生じる、煙、油脂分、臭気などを含む汚染空気Ｇを吸い込むことが可能となる。
【００３１】
また、吹出し口６Ａは、壁部２’Ａにおいて、吹出し口６Ａから吹き出す空気ｇが加熱調理器Ｃ側に向かないように設けられる。典型的には、本実施形態のように、吹出し口６Ａは、壁部２’Ａにおける、吸込み口１Ａとは反対側、即ち背面側に設けられる。しかし、吹出し口６Ａから吹き出す空気ｇが加熱調理器Ｃ側に向かなければ、調理鍋Ｄなどから発生する汚染空気Ｇの気流が乱されることがないので、これに限定されず、吹出し口６Ａは、壁部２’Ａの側面にあってもよい。本実施形態では、第一実施形態のように、吹出し口６Ａは背面ボックス部Ｂ２Ａの背面板ｂＡには設けられていない。なお、調理者が立つＦ１の方に向いた方を正面とし、背面とはその正面とは反対側の面をいい、側面とは正面と背面に挟まれた、床面におおよそ垂直な面を言う。
【００３２】
これにより、吹出し口６Ａから室内に吹出し戻される清浄化された空気の気流によって、加熱調理器Ｃ上の調理鍋Ｄなどから発生する汚染空気Ｇなどの気流が乱されることがない。また、従来技術のように、吹出し口６ＡがキャビネットＢの上面（カウンタＢ３）又は壁部の壁部天面Ｔには設けられていないので、ゴミなどが入り込むおそれがないし、調理に必要な皿や調味料等を置くことができ、キャビネットＢの上面（カウンタＢ３）及び壁部天面Ｔを物を置くスペースとして有効に利用できる
【００３３】
キャビネットＢの上面（カウンタＢ３）からの壁部２’Ａにおける吸込み口１Ａの高さは、加熱調理器Ｃ上に置いた調理鍋Ｄの高さよりやや高い位置に設けることが好ましい。汚染空気Ｇは調理鍋Ｄから上方に立ち上るので、吸込み口１Ａは汚染空気Ｇを吸込みやすい。また、吸込み口１Ａの巾は、加熱調理器Ｃの巾よりやや広い巾が好ましい。吸込み口１Ａは、調理鍋Ｄから上方に広がりながら立ち上る汚染空気Ｇを吸込みやすい。
【００３４】
壁部２’Ａにおける吹出し口６Ａの高さは、本実施形態では、吸込み口１Ａとほぼ同じ高さ（床面Ｆからの高さ）に設けられる。しかし、これに限定されず、キャビネットＢの上面（カウンタＢ３）に近く、壁部２’Ａにおいては低い位置でもよい。また、吹出し口６Ａの巾は、本実施形態では、吸込み口１Ａとほぼ同じである。しかし、これに限定されない。
【００３５】
吸込み口１Ａと吹出し口６Ａの開口部は矩形であるが、これに限定されない。吸込み口１Ａと吹出し口６Ａの開口部の開口面積は、送風機４の送風能力に基づき適宜定められるが、両開口部の開口面積はほぼ同じか、吹出し口６Ａの開口部の開口面積の方がやや大きいことが好ましい。吸込み口１Ａの吸込み速度以上で吹出し口６Ａから空気が吹出されることがないので、この空気の気流によって、加熱調理器Ｃ上の調理鍋Ｄなどから発生する汚染空気Ｇの気流が乱されることがない。
【００３６】
吹出し口６Ａからの空気の吹出し方向は、加熱調理器Ｃ上の調理鍋Ｄなどから発生する汚染空気Ｇの気流が乱されることがない方向である。好ましくは、たとえ吹出し口６Ａの上方又は対向する位置にある棚や家具、天井などに当たっても、加熱調理器Ｃの方へ逆流することがない向きであり、具体的には水平方向より４５度上方に向いた方向より下の方向である。
【００３７】
さらに好ましくは、ほぼ水平方向又はほぼ水平方向より下向きの方向である。これにより、吹出し口６Ａから室内に吹出し戻される清浄化された空気の気流によって、加熱調理器Ｃ上の調理鍋Ｄなどから発生する汚染空気Ｇの気流が乱されることがない。吹出し方向が斜め下方であれば、キャビネットＢを挟んでダイニング側にいる人に吹出した空気が当たらず、不快感を与えることもない。
【００３８】
吹出し口６Ａにおける空気の吹出し方向は、典型的には、吹出し口６Ａに設けられる、図９に示す水平のルーバーにより調整される構成となっている。しかし、これに限定されず、吹出し口６Ａ自体が上下方向に回動可能に設けられてもよい。
【００３９】
また、浄化装置ＡＡは、吸込み口１Ａと吹出し口６Ａを連通する風路３’Ａを有し、吹出し口６Ａは、風路３’Ａを介して吸込み口２’Ａから吸込んだ空気を排出する。浄化装置ＡＡは、風路３’Ａ上にあり、吸込み口１Ａから吹出し口６Ａへ空気の流れを発生させる送風機４と、風路３’Ａ上にあり、吸込み口１Ａから吸込んだ汚染した空気を清浄化する空気浄化部５を備える。本実施形態では、送風機４が空気浄化部５の上流側にあるが、これに限定されず、送風機４と空気浄化部５は、いずれが上流側にあってもよい。
【００４０】
送風機４は、床面Ｆに近いところ、即ち、吸込み口１Ａから低い位置に設けられているので、風路３’Ａは、吸込み口１Ａから床面Ｆに近い高さまで、一旦床方向（図示下方向）に向かうように形成される。また、空気浄化部５は、送風機４のすぐ上に設けられる。従って、送風機４が生じさせる負圧により、吸込み口１Ａから吸い込まれた汚染空気Ｇは、風路３’Ａに沿って下向きに流れ、送風機４を通過した後、空気浄化部５で清浄化される。その後、清浄化された空気は、送風機４の正圧により、吹出し口６Ａまで連通した風路３’Ａに沿って上向きに流れ、吹出し口６Ａから、浄化装置ＡＡの外部へ排出される。
【００４１】
風路３’Ａの正面又は背面側からみた場合の巾は、少なくとも、吸込み口１Ａ及び吹出し口６Ａの付近では吸込み口１Ａ及び吹出し口６Ａの巾とほぼ同じである以外、特に限定されない。すべて、同じ巾で形成されてもよいし、汚染空気Ｇが下向きに流れる風路３’Ａの送風機４に近い部分では送風機４とほぼ同じ巾に絞ってもよい。また、空気が上向きに流れる風路３’Ａでは、空気浄化部５を吹出し口６Ａと同じ巾にし、風路３’Ａも吹出し口６Ａと同じ一定の巾にしてもよいし、空気浄化部５を送風機４と同じ巾とし、風路３’Ａも空気浄化部５と同じ巾にして、吹出し口６Ａに向けて広がる形状に形成してもよい。なお、風路３’Ａの側面からみた場合の巾は、送風機４と空気浄化部５以外では一定の巾に形成される。
【００４２】
なお、本発明の実施形態の具体的な構成は、前記した実施形態に限られるものではなく、請求の範囲に記載の本発明の要旨を逸脱しない範囲で設計変更などがあっても本発明に含まれるものである。
【００４３】
例えば、上述したように、吹出し口６Ａは、壁部２’Ａの一側面又は両側面に備えられてもよい。この場合、吹出し口６Ａは、壁部２’Ａにおいて、キャビネットＢの上面（カウンタＢ３）より上であって壁部天面Ｔより下の範囲で、風路３’Ａの側面視における巾より小さい巾に形成される。キャビネットＢの上面（カウンタＢ３）からの壁部２’Ａの立上り高さが大きくない場合、吹出し口６Ａの開口面積を十分に取るために、吹出し口６Ａは、両側面に備えられることが好ましい。
【符号の説明】
【００４４】
Ａ      室内循環式空気浄化装置
１      吸込み口
２      吸込み壁部
２’    壁部
３      循環風路
３’    風路
４      送風機
５      空気浄化部
６      吹出し口
Ｂ      キャビネット
ｂ      背面板（背面）
Ｃ      加熱調理器
Ｇ      汚染空気
Ｔ      壁部天面
Ｆ      床
【図１】
2012007873.tif 000003
【図２】
2012007873.tif 000004
【図３】
2012007873.tif 000005
【図４】
2012007873.tif 000006
【図５】
2012007873.tif 000007
【図６】
2012007873.tif 000008
【図７】
2012007873.tif 000009
【図８】
2012007873.tif 000010
【図９】
2012007873.tif 000011